(57)【要約】      （修正有）【課題】ハンカチやティッシュペーパー等をより多く収納できる小物入れで、容易に製作でき、バック等にいれ携帯し易く、小物も簡単に取り出し易くできる携帯用小物入れを提供する。【解決手段】長方形に成形された一枚の基材１を長手方向における両端部を合わせる様に二つに折り畳み、さらに二枚になっている端部をもう一方の端部付近まで合わせる様に折り畳む。そして折り畳んだ面の両側で４枚重ねになっている端部を接合して一体化する。次に形成された二つの袋のうち長い周辺端部を有する袋をめくるようにして内側を外側に反転し、三つの袋を形成する。片側６に開口部が二つの収納部があり、反対側にもう一つの収納部が形成される。さらに、外側に形成された収納部の一部に切り込み８を設け、開口部を形成する。【選択図】図１
0003185666.tif 000002
【実用新案登録請求の範囲】
【請求項１】
四角形に成形された基材により、重なる様に三つの収納部を形成し、収納部の開口部が片側に二つあり、反対側に一つの開口部が位置するように構成したことを特徴とする携帯用小物入れ。
【請求項２】
形成された三つの収納部のうち二つが隣り合う収納部を分割する為の仕切りの基材が周辺の基材より短く形成した請求項１記載の携帯用小物入れ。
【請求項３】
形成された三つの収納部のうち、外側に形成された二つの収納部の少なくとも一つの収納部の側面に開口部となる切り込み部を形成した請求項１記載の携帯用小物入れ。
【考案の詳細な説明】
【技術分野】
【０００１】  本考案はハンカチ、ティッシュペーパー等の小物を収納する収納部を三個形成すると共に、当該収納部内に入っている収納物をとりやすくした携帯用小物入れとその簡便な製法に関する。
【背景技術】
【０００２】  ハンカチ、ティシュペーパー等を収納する小物入れについては収納部を両面に二つ形成する。あるいは収納部を二つ折りにして携帯する様に形成されたものが知られている。
【先行技術文献】
【特許文献】
【０００３】
【特許文献１】特開２００１−１１４３５８
【特許文献２】特開２００６−１５０２７
【考案の概要】
ハンカチやティッシュペーパー等をより多く収納できる小物入れで、容易に製作できバック等に入れて便利に携帯でき、また小物も簡単に取り出せるようにした携帯用小物入れを提供する。
【考案が解決しようとする課題】
【０００４】  公知の小物を収納する袋を有する小物入れにおいては、収納部が二つしかなく、より多く収納したいという要求に応えられない。また、二つ折りにする様に形成されたものでは厚みがかさばってしまうため、バック等に入れる場合にコンパクトではなくなってしまうという問題がある。
本考案では一つの成形物の厚さ方向に三つの収納部を形成し、コンパクト化してあるので、衣服等のポケットあるいはバック等に入れて容易に携帯することができる。さらに、収納部の物品の出し入れを容易にし、かつ、簡単に製作ができるコンパクトな小物入れを提供することを目的としている。
【課題を解決するための手段】
【０００５】    長方形に成形された一枚の基材を長手方向に向い合った両端部を合わせる様に二つに折り畳み、さらに二枚になっている端部をもう一方の端部付近まであわせる様に折り畳む。一方、折り畳んだ面の両側で４枚重ねになっている端部を接合して閉じる。次に、形成された二つの袋のうち、長い端部を有する袋を、めくる様にして袋の内側を外側に反転させると三つの袋が形成される。  この様にして片側に開口部が二つの収納部を形成し、反対側に開口部が一つの収納部を形成する。
次に、外側に形成された収納部の一部に切り込みを設けて開口部を形成する。
【考案の効果】
【０００６】  本考案では合成繊維、布、皮革等の基材を用いて、その一部を折り畳み、縫合接合加工をすることによって安価に多くの小物が入るコンパクトな小物入れを容易に製作でき、この小物入れをハンドバック、背広のポケット等に入れて使用することにより非常に便利になるという特徴を有する。
【図面の簡単な説明】
【０００７】
【図１】本考案による小物入れの外観で二つの収納部の入り口がみえる図である。
【図２】本考案による小物入れの外観で一つの収納部の入り口がみえる図である。
【図３】基材の全体を上面から見た図である。
【図４】基材をさらに折り畳んだ図である。
【図５】基材をさらに折り畳んで縫合した図である。
【図６】収納部の一部をめくって反転した図である。
【図７】収納部の側面に開口部を形成した図である。
【図８】収納部の側面の開口部からティッシュペーパーを取出す図である。
【考案を実施するための形態】
【０００８】  本考案による小物入れを使用する際には、収納部の側面に切り込み部を形成した袋にティッシュペーパーを入れることにより、切り込み部の開口部からティッシュペーパーを容易に取り出すことができる。
また、他の二つの収納部にはハンカチ等を入れることができる。このように小物を収納した小物入れをハンドバックまたは背広のポケット等に入れて使用する。
【実施例】
【０００９】  本考案の実施例を図に従って説明する。図１は本考案で製作した携帯用小物入れの外観で上部には二つの収納部があり、４の仕切り用基材により分割されている。
８は収納部の側面の切り込み部を示している。下の図は断面を示している。
図２は本考案で製作した携帯用小物入れの外観で下部に一つの収納部の開口部が形成されていることを示している。下の図は断面を示している。
図３において、１は本考案の基材全体を表しており、布地や皮革地等の柔軟性のある素材で長方形に裁断されて形成される。２は基材を折り畳む際の折り曲げ部を表している。図４にある３は図１で折り畳んだ基材をさらに折り畳む際の折り曲げ部を表しており、寸法的には中心部から左へ僅かにずらした位置を表している。
図５の４は折り畳んだ基材の先端部を表しており、下の基材より、少し短めにしてあり、二つの収納部を仕切る基材を表している。５の点線は袋を形成する為に縫合した箇所を表している。図６は図５で表した長い先端を持った収納部の内側を外側にひっくり返して反転した図である。６は二つの収納部が形成された開口部のある側を表している。７は収納部が一つ形成された開口部の側を表している。図７の８は収納部の側面に形成した切り込み部を表している。この切り込みの開口部は収納部の端から端まで出来るだけ長く形成する。また切り込み部の形成は図３の過程で形成しておく。図５で縫合した際には二つの収納部が形成されている。図６で二つの収納部のうち開口部の端部が長い方の袋の内側をひっくり返して外側に出すことにより、三つの収納部を形成する事ができる。収納部の開口部は片側に二つあり、反対側にもう一つあるという状態になる。一つの袋をひっくり返して反転することにより、縫合部を内側に隠すことになるため見栄えが良くなるという利点もある。
この実施例では単純化するために単独の基材で製作プロセスを示してあるが、他の基材を当接して縫合、あるいは複合させて利用することも可能である。
図８の９はティッシュペーパーで開口部からそれを取出す際の状態を表している。
【符号の説明】
【００１０】１基材
２折り曲げ部
３折り曲げ部
４折り畳んだ基材の先端
５縫合部
６二つの開口部の側
７一つの開口部の側
８切れ込み部
９ティッシュペーパー
【図１】
0003185666.tif 000003
【図２】
0003185666.tif 000004
【図８】
0003185666.tif 000005
【図３】
0003185666.tif 000006
【図４】
0003185666.tif 000007
【図５】
0003185666.tif 000008
【図６】
0003185666.tif 000009
【図７】
0003185666.tif 000010